(57)【要約】  本発明は、表示画面を具備した携帯機器における文字入力方法およびその携帯機器に関する。本発明に係る携帯機器用の文字入力方法は、ポインタを前記表示画面上の所定のポインタ開始領域に位置させる段階と、前記携帯機器の光インターフェース部と接触した状態で移動する被写体の動きを感知する段階と、前記ポインタを前記感知された動きによって前記ポインタ開始領域から移動させて文字を入力する段階と、前記文字の入力によって前記ポインタを前記ポインタ開始領域に復帰させる段階と、を含む。本発明の携帯機器用の文字入力方法によれば、文字入力を支援する携帯機器に光インターフェース部を設置し、前記光インターフェース部と接触した状態で移動する被写体の動きを感知することによってポインタを移動させて文字を入力し、前記ポインタを元の開始位置に復帰させることでユーザの便宜性を極大化し得る最適な文字入力方式が具現される。
2008515044.tif 000002
【特許請求の範囲】
【請求項１】
表示画面を具備した携帯機器における文字入力方法において、
ポインタを前記表示画面上の所定のポインタ開始領域に位置させる段階と、
前記携帯機器の光インターフェース部と接触した状態で移動する被写体の動きを感知する段階と、
前記ポインタを前記感知された動きによって前記ポインタ開始領域から移動させて文字を入力する段階と、
前記文字の入力によって前記ポインタを前記ポインタ開始領域に復帰させる段階と、
を含むことを特徴とする携帯機器用の文字入力方法。
【請求項２】
前記文字の入力によって前記ポインタを前記ポインタ開始領域に復帰させる前記段階は、前記被写体の前記光インターフェース部への接触終了を感知する場合に、前記ポインタを前記ポインタ開始領域に復帰させることを特徴とする請求項１に記載の携帯機器用の文字入力方法。
【請求項３】
前記ポインタを前記感知された動きによって前記ポインタ開始領域から移動させて文字を入力する前記段階は、前記ポインタが移動した領域に位置する文字に対する選択をユーザから入力された場合に、前記文字を入力することを特徴とする請求項１に記載の携帯機器用の文字入力方法。
【請求項４】
前記小型携帯機器の光インターフェース部と接触した状態で移動する被写体の動きを感知する前記段階は、前記被写体が動く速度または距離を測定して前記動きを感知し、
前記ポインタを前記感知された動きによって前記ポインタ開始領域から移動させて文字を入力する前記段階は、前記測定された速度または距離に対応して前記ポインタを移動させることを特徴とする請求項１に記載の携帯機器用の文字入力方法。
【請求項５】
１つ以上の文字イメージおよび文字データが互いに対応して記録されたデータベースを維持する段階をさらに含み、
前記ポインタを前記感知された動きによって前記ポインタ開始領域から移動させて文字を入力する前記段階は、
前記感知された動きに対応する文字イメージを生成する段階と、
前記データベースから前記生成された文字イメージに対応する文字データを識別して抽出する段階と、
前記抽出された文字データを前記表示画面に表示する段階と、
を含むことを特徴とする請求項１に記載の携帯機器用の文字入力方法。
【請求項６】
請求項１〜５のいずれか一項の方法を実行させるためのプログラムを記録したコンピュータ読み取り可能な記録媒体。
【請求項７】
携帯機器において、
所定の表示画面に所定の文字またはポインタを表示するための表示部と、
所定の被写体と接触し、光信号を前記被写体に発光させて前記被写体から反射する光反射信号を受信する光インターフェース部と、
前記受信した光反射信号を読み取って前記被写体の動きを感知するための光信号感知部と、
前記ポインタを前記表示画面上のポインタ開始領域に位置させ、前記感知された動きによって前記ポインタを前記ポインタ開始領域から位置を移動させて文字を入力し、前記文字入力によって前記ポインタを前記ポインタ開始領域に復帰させるポインタ制御部と、
を含むことを特徴とする文字入力を提供する携帯機器。
【請求項８】
前記ポインタ制御部は、前記被写体の前記光インターフェース部への接触終了を感知する場合に、前記ポインタを前記ポインタ開始領域に復帰させることを特徴とする請求項７に記載の文字入力を提供する携帯機器。
【請求項９】
１つ以上の文字イメージおよび前記文字イメージに対応する文字データを維持するデータベース部と、
前記感知された動きに対応するポインタ文字イメージを生成する文字イメージ生成部と、
前記データベース部から前記ポインタ文字イメージに対応する文字イメージを識別し、前記識別された文字イメージに対応する文字データを抽出する文字識別抽出部と、
をさらに含むことを特徴とする請求項７に記載の文字入力を提供する携帯機器。
【請求項１０】
前記光インターフェース部は、前記光信号が送信される所定の物体面、レンズ部、およびイメージ面を含み、
前記物体面、レンズ、およびイメージ面は互いに水平方向に位置して構成されることを特徴とする請求項７に記載の文字入力を提供する携帯機器。
【発明の詳細な説明】
【技術分野】
【０００１】
本発明は、表示画面を備えた携帯機器における文字入力方法およびその携帯機器に関し、より詳細には、携帯電話などの小型携帯機器での文字入力において既存のキーパッド入力方式から逸脱し、前記携帯機器の表示画面に数字または文字盤などのキーボードを表示して、前記携帯機器に設置された所定の光インターフェース部を用いてポインタを移動させて文字を入力し、前記ポインタを文字の入力とともに元の開始位置に復帰させることを特徴とする携帯機器用の文字入力方法およびその携帯機器に関する。
【背景技術】
【０００２】
現在、大部分のＰＣユーザは、ＰＣのオペレーティングシステム（Operating System）としてウィンドウズ〔Windows（登録商標）〕を用いている。これは、既存のＤＯＳ体制では支援し得ない便利なマウス機能および多様なグラフィック機能に起因するものであるが、ユーザがウィンドウを介して特定の命令を入力するときに、キーボードで入力せずにマウスを用いてドラッグやスクロール、クリックなどを行うことで、簡便に命令を入力することができる。
【０００３】
一方、これとは対照的に、携帯電話などの小型携帯機器の入力方式としては、依然としてキーパッドを押して入力する方式が主に用いられている。このように、キーパッドによる入力方式が主用されている理由は、他の入力方式に用いられるモジュールの厚さには限界が伴うためであり、携帯電話の構成上、厚さのあるモジュールは、ＰＣＢ（Printed Circuit Board）の位置および厚さ、ＲＦモジュールの位置などの重要部品の位置によって使用が不可能であるためである。
【０００４】
このように、小型携帯機器の画面に表示されるグラフィックや多様な機能はＰＣのウィンドウと類似しているにも係わらず、その入力手段は依然としてキーパッドであるため命令の入力方式が不便であり、入力速度も遅く、表示された多様なグラフィック画面をスクロールするのにも大きな不便をもたらしている。
【０００５】
また、このようなキーパッド入力方式は、電話番号の入力やその他のメニューの利用において、１つずつしか動くことができない単一（Mono）移動による押し方式であるため、時間的や作動性において問題が生じるとともに、現在導入されているＧＵＩ（Graphic User Interface）環境では使用が不可能であるという限界点を抱いている。
【発明の開示】
【発明が解決しようとする課題】
【０００６】
本発明は、前記のような従来技術を改善するために案出されたものであって、文字入力を支援する携帯機器に光インターフェース部を設置し、前記光インターフェース部と接触した状態で移動する被写体の動きを感知することによってポインタを移動させて文字を入力することで、ユーザの便宜性を極大化し得る最適な文字入力方式が具現される携帯機器用の文字入力方法およびその携帯機器を提供することを目的とする。
また、本発明は、携帯機器のポインタ表示において、前記ポインタを表示画面のポインタ開始領域に位置させ、被写体の動きによって前記ポインタを所定の領域に移動させた後、前記被写体の光インターフェース部への接触終了が感知されれば、前記ポインタを前記ポインタ開始領域に復帰させる元位置復帰方式（Restoring Original Position）を提供することで、ユーザのポインタ移動制御をより一層最適化させる携帯機器用の文字入力方法およびその携帯機器を提供することを目的とする。
【０００７】
また、本発明は、携帯機器の光インターフェース部を介して感知された被写体の一連の動きに対応する文字イメージを生成し、前記生成された文字イメージに対応する文字データをデータベースから抽出して表示することで、ユーザが被写体の動きのみで文字入力を可能にする携帯機器用の文字入力方法およびその携帯機器を提供することを目的とする。
【課題を解決するための手段】
【０００８】
前記の目的を達成し、従来技術の問題点を解決するために、本発明に係る携帯機器用の文字入力方法は、ポインタを前記表示画面上の所定のポインタ開始領域に位置させる段階と、前記携帯機器の光インターフェース部と接触した状態で移動する被写体の動きを感知する段階と、前記ポインタを前記感知された動きによって前記ポインタ開始領域から移動させて文字を入力する段階と、前記文字の入力によって前記ポインタを前記ポインタ開始領域に復帰させる段階と、を含む。
【０００９】
本明細書において言及される携帯機器とは、ＰＤＡ（Personal Digital Assistant）やハンドヘルドＰＣ、または所定のメモリを備えて所定のマイクロプロセッサを搭載することで所定の演算能力を備えた携帯電話などの移動通信端末機を通称する概念である。また、携帯機器とは、音楽や動画などのマルチメディアファイル再生が可能なポータブルマルチメディアプレーヤであって、ＭＰ３プレーヤ、ＭＰ３フォン、ＰＤＰ、ＰＭＰ、ＤＭＢ受信装置などの各種携帯機器をすべて含むことができる。
【００１０】
また、本明細書において「文字」を入力するということは、単に狭い意味での文字入力だけではなく、携帯機器のユーザが本発明に係る文字入力方法によって数字、記号、式などを入力したり、メニューまたはアイコンなどの各種項目を選択したりすることすべてを含む概念である。したがって、本発明に係る携帯機器用の文字入力方法とは、単に文字を入力する方法だけではなく、文字の入力以外に多様な項目を入力ないし選択する方法すべてを含むものである。
【発明の効果】
【００１１】
本発明によれば、文字入力を提供する携帯機器に光インターフェース部を設置し、前記光インターフェース部と接触した状態で移動する被写体の動きを感知することによってポインタを移動させて文字を入力することで、ユーザの便宜性を極大化し得る適化な文字入力方式が具現される携帯機器用の文字入力方法およびその携帯機器が提供される。
【００１２】
また、本発明の携帯機器用の文字入力方法およびその携帯機器によれば、携帯機器のポインタ表示において、前記ポインタを表示画面のポインタ開始領域に位置させ、被写体の動きによって前記ポインタを所定の領域に移動させた後、前記被写体の光インターフェース部への接触終了が感知されれば、前記ポインタを前記ポインタ開始領域に復帰させる元位置復帰方式（Restoring Original Position）を提供することで、ユーザのポインタ移動制御をより一層最適化させる効果を得ることができる。
【００１３】
また、本発明の携帯機器用の文字入力方法およびその携帯機器によれば、携帯機器の光インターフェース部を介して感知された被写体の一連の動きに対応する文字イメージを生成し、前記生成された文字イメージに対応する文字データをデータベースから抽出して表示することで、ユーザが被写体の動きのみで文字入力を可能にする効果を得ることができる。
【発明を実施するための最良の形態】
【００１４】
以下、添付の図面を参照して、本発明の実施形態を詳しく説明する。
図１は本発明の第１実施形態に係る携帯機器の構成を示したブロック図である。
本発明の第１実施形態に係る携帯機器１００は、表示画面にポインタを提供し、光インターフェース部を介して前記ポインタの特定方向に対する移動命令がユーザから入力され、前記方向に移動したポインタが位置する所定の表示項目選択の入力を受けて前記表示項目を実行させる構成を含む。
【００１５】
図１に示された本明の第１実施形態に係る携帯機器１００は、表示部１１０と、光インターフェース部１２０と、光信号読取部１３０と、ポインタ制御部１４０と、中央処理装置１５０と、キーパッド部１６０と、通信モジュール１７０と、を含んで構成される。
【００１６】
表示部１１０は、１つ以上の表示項目または所定のポインタを表示する。前記１つ以上の表示項目とは、ユーザが携帯機器１００を介して支援される機能を遂行するために選択することができる所定のメニュー項目、アイコン、数字、または文字を含む概念である。
【００１７】
表示部１１０は、携帯機器１００の各種表示項目をユーザに表示する手段であって、現在常用化されているＳＴＮ  ＬＣＤ、ＴＦＴ  ＬＣＤ、有機ＥＬ  ＬＣＤなどが用いられる。
【００１８】
光インターフェース部１２０は所定の被写体と接触し、光信号を前記被写体に発光させて前記被写体から反射する光信号を受信する。例えば、ユーザの指を光インターフェース部１２０に接触させた場合、光インターフェース部１２０は前記ユーザの指に光信号を発光させて前記指から反射する光信号を受光し、前記受光された光信号によって前記ユーザの指の動きを感知する。
【００１９】
光インターフェース部１２０は、当業者によって広く公知されて用いられている所定の光モジュールを介して具現される。例えば、ＰＣの入力手段として用いられている光マウスに含まれた光モジュールが用いられる。また、光インターフェース部１２０は、小型化および薄型化のために、前記光モジュールの垂直構造を変形した水平構造の光モジュールが用いられることもある。
【００２０】
既存のＰＣで用いる光マウスで光イメージセンサを用いるときは、物体面が底面であるため光源の照射が下部に向かっており、レンズが光イメージセンサの下部に位置して動くという構造が採用されている。しかし、このような構造では、物体面、レンズ系、光イメージセンサが光軸方向に垂直に整列されている構造であるため、光学系焦点距離の限界によって基本的な高さの限界を抱くようになる。このような限界によって、前記構造は小型化および薄型化を追求する携帯電話などの小型携帯機器には適用が不可能である。
【００２１】
すなわち、現在一般的なＰＣに用いられている光マウスに適用される光学系を応用する場合には、モジュールの高さを４．０ｍｍ以下にまで減らすことは困難である。しかし、これは携帯電話などの小型携帯機器に適用するには満足し得ない高さであり、携帯電話に適用するためには１．５〜２．０ｍｍ以下の高さでなければならない。このようなモジュールの構成のためには、全般的に光学系の構造の変形が必要とされるが、これは図２を参照して説明する。
【００２２】
図２は本発明に係る携帯機器の光インターフェース部に設置され得る光モジュールの構造を示した図である。
【００２３】
図２に示すように、本発明の光インターフェース部１２０には、携帯機器１００の小型化および薄型化のために新たな構造の光モジュールが設置され得る。図２に示された光モジュールは、物体面２１０と、カバーガラス（Cover Glass）２２０と、反射面２３０、２７０と、レンズ部２４０、２６０と、ストップ（Stop）２５０と、イメージ面２８０と、を含んで構成される。
【００２４】
図２に示すように、光モジュールは、物体面２１０と、レンズ部２４０、２６０と、イメージ面２８０とを垂直構造から水平構造に具現を変更して光信号の進行経路を変形させることで、十分な焦点距離および焦点深度を確保するとともに、厚さ２．０ｍｍ以下のモジュール構成を可能にする。一般的に小型機器である携帯機器に前記光モジュールを設置する場合に、最も重要な要因は光モジュールの厚さである。したがって、図２に示された光モジュールのように、長さ方向（水平方向）に光信号の経路を変形させた光モジュールを本発明に係る携帯機器１００に搭載することで、光モジュールを設置しても携帯機器の小型化および薄型化の維持が可能であるという効果を得ることができる。
【００２５】
再び図１に戻り、光信号読取部１３０は、前記受信した光信号を感知して前記被写体の動きを読み取る。すなわち、光インターフェース部１２０を介して前記被写体から反射した光信号の受光状態を感知して前記被写体の動きを読み取る。前記のような動き読取方法は、一般的に光マウスなどを通じて広く用いられているように、前記被写体の動きによる所定のイメージ生成によって前記被写体の動きの方向または経路を読み取る方法が準用される。また、光信号読取部１３０は、前記被写体が動く速度または距離を測定して、前記被写体の動きをより一層詳細に読み取ることができる。
【００２６】
ポインタ制御部１４０は、前記読み取られた被写体の動きに対応して前記ポインタが所定の方向に移動するように前記ポインタを制御する。光信号読取部１３０は、前記被写体の動きが読み取られれば、前記読み取られた被写体の動き情報をポインタ制御部１４０に送信する。前記被写体の動き情報を受信したポインタ制御部１４０は、前記被写体が動く方向、速度、または距離を判断し、前記判断された方向、速度、または距離に対応して前記ポインタを移動させる。
【００２７】
ポインタ制御部１４０によってポインタが特定の位置に移動した場合、ユーザは前記ポインタが位置している表示項目の選択を、キーパッド部１６０を介して入力することができる。前記表示項目の選択が入力される場合、中央処理装置１５０は前記表示項目を実行させる。前記表示項目とは、携帯機器１００で提供される機能を実行させるための所定のアイコンやメニューであっても良いし、文字または数字であっても良い。
【００２８】
中央処理装置１５０は、演算の遂行を担当する一般的なコンピュータ用ＣＰＵ、すなわち、ＭＰＵ（Micro processor unit）およびメモリアクセスロジック（Memory Access Logic）を含んで具現される。中央処理装置１５０は携帯機器１００の核心構成であって、キーパッド部１６０を介して入力される各種命令を遂行し、表示部１１０、光インターフェース部１２０、光信号読取部１３０、およびポインタ制御部１４０の動作を制御することができる。
【００２９】
キーパッド部１６０は、１つ以上のキーパッドを含む入力手段であって、一般的な携帯機器に備わった１つ以上のボタンで具現されることができる。キーパッド部１６０は、光インターフェース部１２０を含んで構成されることもある。
【００３０】
通信モジュール１７０は、携帯機器１００の通信機能を支援するモジュールであって、一般的な有無線通信を支援する。通信モジュール１７０は、シリアル、ユニバーサルシリアルバス（USB）、赤外線（IR）通信部、ブルートゥース通信部、または移動通信インターフェース部のいずれか１つ以上を含むことができる。また、前記移動通信インターフェース部は、公衆交換電話網（PSTN）接続はもちろん、符合分割多重接続（CDMA）、ＷＣＤＭＡ、ＡＬＬＩＰ、ＧＳＭ、ＧＰＲＳ接続方式、および現存するすべての移動通信と関連した接続方式のうちの１つ以上を支援することができる。さらに、Ｈ．３２３、ＭＧＣＰ（Message Gateway Control Protocol）、ＳＩＰ（Session Initiation Protocol）、またはＭｅｇａｃｏなどのＶｏＩＰ呼連結のための呼制御プロトコルのうちの１つ以上のプロトコルを支援するように具現される。
【００３１】
図１の携帯機器１００構成によって説明したように、ユーザは光インターフェース部１２０に指を接触し、ポインタを所望する第１表示項目の位置まで移動させ、前記ポインタが位置した第１表示項目を、キーパッド部１６０に含まれた所定のボタンをクリックすることで前記第１表示項目を実行させることができる。また、前記実行された第１表示項目を、通信モジュール１７０を介して所定の端末機またはサーバに送信することもできる。
【００３２】
図３は本発明の第１実施形態に係る携帯機器を用いたポインタ表示の一例を示した図である。
ポインタ制御部１４０は、携帯機器のポインタ表示動作が初期駆動する場合、表示画面のポインタ開始領域３１０にポインタ３２０が位置して表示されるように表示部１１０を制御することができる。ポインタがポインタ開始領域３２０に位置すれば、ユーザは指３５０を光インターフェース部３３０に接触させて移動しながら、ポインタ３２０を所定の領域に移動させることができる。
【００３３】
図３のように、表示部１１０に１つ以上の数字が羅列されている場合、ユーザはポインタ３２０を移動させて所定の電話番号を入力することができる。例えば、ユーザが「０１１−１２３−４５６７」という電話番号を入力しようとする場合、指３５０の動きによってポインタ３２０を「０」の位置に移動させ、ポインタが「０」の位置に移動されれば、キーパッド３４０をクリックすることで所定の領域３６０に電話番号を入力することができる。
【００３４】
前記ユーザがキーパッド３４０をクリックして数字を入力する場合、前記ユーザの指３５０は光インターフェース部３３０から離れるようになり接触が終了する。前記接触が終了すれば、ポインタ３２０は再びポインタ開始領域３１０に移動することで、ユーザがより一層便利に数字を入力することができる元位置復帰方式が具現される。前記のような動作を繰り返すことで、前記ユーザは「０１１−１２３−４５６７」という電話番号を入力して、電話連結を実行することができる。
【００３５】
図４は本発明の第１実施形態に係る携帯機器を用いたポインタ表示の他の例を示した図である。
図４の図面符号４１０に示すように、１つ以上の数字を、ポインタが位置するポインタ開始領域を囲むような円型で表示することで、前記ポインタ開始領域から各数字までの距離がすべて同じになり、ユーザはポインタの元位置復帰方式によってより一層迅速かつ便利に各数字を入力することができる。
【００３６】
また、図４の図面符号４２０に示すように、本発明の第１実施形態に係る携帯機器のポインタ表示を介して、数字の入力だけではなく前記携帯機器の各種メニュー項目を選択することもできる。前記のようにメニュー項目を選択する場合に前記メニュー項目が多くて画面にすべて表示しきれない場合、ユーザは光インターフェース部を介してスクロール形式でより一層便利に前記画面を移動してメニューを探索することができる。
【００３７】
前記光インターフェース部を用いたスクロールは、ユーザが前記携帯機器を介して電子関連の本などの１つの画面にすべての表示が不可能なコンテンツを実行する場合にも適用され、前記ユーザがより一層便利に前記コンテンツを鑑賞することができる。
【００３８】
図５は、本発明の第２実施形態に係る携帯機器の構成を示したブロック図である。
本発明の第２実施形態に係る携帯機器５００は、光インターフェース部５２０を介して感知された被写体に動きによる文字イメージを生成し、前記生成された文字イメージに対応する文字データをデータベース部５６０から抽出して表示することができる。
【００３９】
本発明の第２実施形態に係る携帯機器５００は、表示部５１０と、光インターフェース部５２０と、光信号読取部５３０と、文字イメージ生成部５４０と、文字識別抽出部５５０と、データベース部５６０と、中央処理装置５７０と、キーパッド部５８０と、通信モジュール５９０と、を含んで構成される。
【００４０】
表示部５１０は、第１領域または第２領域を含む所定の画面を表示し、前記画面に所定の文字イメージまたは文字データを表示する。表示部５１０は、携帯機器５００の各種表示項目をユーザに表示する手段であって、現在常用化されているＳＴＮ  ＬＣＤ、ＴＦＴ  ＬＣＤ、有機ＥＬ  ＬＣＤなどが用いられる。
【００４１】
光インターフェース部５２０は所定の被写体と接触し、光信号を前記被写体に発光させて前記被写体から反射する光信号を受信する。例えば、ユーザの指を光インターフェース部５２０に接触させた場合、光インターフェース部５２０は前記ユーザの指に光信号を発光させて前記指から反射する光信号を受光し、前記受光された光信号によって前記ユーザ指の動きを感知する。光インターフェース部５２０は、図１に示された本発明の第１実施形態に係る携帯機器１００の光インターフェース部１２０の構成および動作を準用して具現される。
【００４２】
光信号読取部５３０は、前記受信した光信号を感知して前記被写体の動きを読み取る。すなわち、光インターフェース部１２０を介して前記被写体から反射した光信号の受光状態を感知して前記被写体の動きを読み取る。光信号読取部５３０または光インターフェース部５２０は、図１で説明した本発明の第１実施形態に係る携帯機器１００の光信号読取部１３０の構成および動作を準用して具現される。
【００４３】
文字イメージ生成部５４０は、前記読み取られた経路を表示するポインタ文字イメージを生成する。すなわち、光信号読取部５３０によって読み取られた被写体が動いた経路によってポインタ文字イメージを生成することができる。前記ポインタ文字イメージは、前記被写体が動く経路をリアルタイムで表示しながら生成しても良いし、前記被写体の一連の動きが終了した後に前記一連の動きに他の経路を表示して生成しても良い。
【００４４】
文字識別抽出部５５０は、データベース部５６０から前記生成されたポインタ文字イメージに対応する文字イメージを識別し、前記識別された文字イメージに対応する文字データを抽出する。例えば、被写体の動きによる経路を表示したポインタ文字イメージは、各ユーザごとに異なる筆記体や各種環境要因によって、文字として表現されるには多くの不正確性を内包する恐れがある。したがって、文字識別抽出部５５０は、ユーザによって作成されたポインタ文字イメージと類似した文字イメージをデータベース部５６０から識別し、前記識別された文字イメージに対応する文字データ、すなわち、整形化された文字（例えば、明朝体またはゴシック体など）データを抽出することができる。
【００４５】
データベース部５６０は、上述したように１つ以上の文字イメージおよび前記文字イメージに対応する文字データを記録して維持する。例えば、文字イメージ には文字データ「Ｆ」が対応して記録されたり、文字イメージ には文字データ「Ｐ」が対応して記憶されたりする。また、データベース部５６０には１つ以上の言語を含む文字イメージおよび文字データが記録されても良いし、言語文字以外に各種数字、記号、演算者などがさらに含まれて記録されても良い。
【００４６】
中央処理装置５７０は、前記生成されたポインタ文字イメージが画面の第１領域に表示されるように表示部５１０を制御したり、前記抽出された文字データが前記画面の第２領域に表示されるように表示部５１０を制御したりする。
【００４７】
中央処理装置５７０は、演算の遂行を担当する一般的なコンピュータ用ＣＰＵ、すなわち、ＭＰＵ（Micro processor unit）およびメモリアクセスロジック（Memory Access Logic）を含んで具現される。中央処理装置５７０は携帯機器５００の核心構成であって、キーパッド部５８０を介して入力される各種命令を遂行し、表示部５１０、光インターフェース部５２０、光信号読取部５３０、文字イメージ生成部５４０、文字識別抽出部５５０の動作を制御することができる。
【００４８】
キーパッド部５８０は、１つ以上のキーパッドを含む入力手段であって、一般的な携帯機器５００に備わった１つ以上のボタンで具現される。キーパッド部５８０は、光インターフェース部５２０を含んで構成されることもある。
【００４９】
通信モジュール５９０は、携帯機器５００の通信機能を支援するモジュールであって、一般的な有無線通信を支援する。通信モジュール５９０は、シリアル、ユニバーサルシリアルバス（USB）、赤外線（IR）通信部、ブルートゥース通信部、または移動通信インターフェース部のいずれか１つ以上を含むことができる。また、前記移動通信インターフェース部は、公衆交換電話網（PSTN）接続はもちろん、符合分割多重接続（CDMA）、ＷＣＤＭＡ、ＡＬＬＩＰ、ＧＳＭ、ＧＰＲＳ接続方式、および現存するすべての移動通信に関連する接続方式のうちの１つ以上を提供することができる。さらに、Ｈ．３２３、ＭＧＣＰ（Message Gateway Control Protocol）、ＳＩＰ（Session Initiation Protocol）、またはＭｅｇａｃｏなどのＶｏＩＰ呼連結のための呼制御プロトコルのうちの１つ以上のプロトコルを提供するように具現される。
【００５０】
上述したように、ユーザは、本発明の第２実施形態に係る携帯機器５００の光インターフェース部５２０を用いてポインタ文字イメージを生成することができる。携帯機器５００は、前記生成されたポインタ文字イメージに対応する文字イメージを識別し、前記識別された文字イメージに対応する文字データを抽出して表示部５１０の第２領域に表示することで、ユーザがキーパッド部５８０のボタンをクリックしなくても、指の動きだけでより一層便利に文字を入力することができるという効果を得ることができる。
【００５１】
図６は本発明の第２実施形態に係る携帯機器の文字イメージおよび文字データが表示された一例を示した図である。
図６に示すように、ユーザは指６３０を光インターフェース部６４０に接触させて一連の動きを入力することができる。携帯機器は、前記動き経路によるポインタ文字イメージを生成する。例えば、前記動き経路によるポインタ文字イメージとして が生成されて第１領域６１０に表示された場合、文字識別抽出部は、前記ポインタ文字イメージに含まれた各音節の文字それぞれと類似した文字イメージをデータベース部から識別し、前記識別された文字イメージそれぞれに対応する文字データを抽出して「Ｉ  Ｌｏｖｅ  Ｙｏｕ」という整形化された様式の文字データを第２領域６２０に表示することができる。
【００５２】
ユーザは、前記表示された文字データを通信モジュールを介して所定の端末機またはサーバに送信することもできるし、携帯機器のメモリに保存することもできる。
図７は本発明の第１実施形態に係る携帯機器用の文字入力方法の流れを示したフローチャートである。
【００５３】
本発明の第１実施形態に係る携帯機器は、ポインタを表示画面のポインタ開始領域に表示する（段階７１１）。光インターフェース部を介して接触した被写体の動きを感知した後（段階７１２）、前記携帯機器は前記感知された動きによって前記ポインタを移動させる（段階７１３）。
【００５４】
段階７１３でポインタが移動した場所に位置する文字に対する選択をユーザから受信すれば（段階７１４）、前記携帯機器は前記文字を入力する（段階７１５）。
【００５５】
前記携帯機器は、光インターフェース部を介した前記被写体への接触終了が感知されれば（段階７１６）、前記文字に位置した前記ポインタを前記ポインタ開始領域に移動させる（段階７１７）。段階７１７のように前記ポインタをポインタ開始領域に再び移動させることで、元位置復帰方式によるより一層便利な文字入力方法を提供することができる。
【００５６】
図８は本発明の第２実施形態に係る携帯機器用の文字入力方法の流れを示したフローチャートである。
本発明の第２実施形態に係る携帯機器は、１つ以上の文字イメージおよび文字データが互いに対応して記録されたデータベースを維持する（段階８１１）。ポインタを用いた文字入力モード選択をユーザから受信すれば（段階８１２）、前記携帯機器は第１領域または第２領域を含む画面を表示する（段階８１３）。段階８１３で前記第１領域にはポインタが表示されることもある（段階８１４）。
【００５７】
前記携帯機器は、光インターフェース部を介して接触した被写体に対する一連の動きを感知して（段階８１５）、前記感知された動きに対応する前記被写体の移動経路を読み取る（段階８１６）。段階８１６によって読み取られた移動経路によって、前記携帯機器は前記経路を表示するポインタ文字イメージを生成して前記第１領域に表示する（段階８１７）。
【００５８】
前記携帯機器は、前記ポインタ文字イメージに対応する文字イメージをデータベースから識別し、前記識別された文字イメージに対応する文字データを抽出する（段階８１８）。前記抽出された文字データは、前記表示画面の第２領域に表示されたり（段階８１９）、前記携帯機器の所定のメモリに保存されたりする。
【００５９】
前記のように、ユーザは、光インターフェース部に指を接触させて動く動作のみで、より一層便利に文字、数字、記号などを入力することができる。
本発明に係る携帯機器用の文字入力方法は、コンピュータにより具現される多様な動作を実行するためのプログラム命令を含むコンピュータ読み取り可能な媒体を含む。前記媒体は、プログラム命令、データファイル、データ構造などを単独または組み合わせて含むこともできる。前記媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。前記媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００６０】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００６１】
【図１】本発明の第１実施形態に係る携帯機器の構成を示したブロック図である。
【図２】本発明の携帯機器の光インターフェース部に設置され得る光モジュールの構造を示した図である。
【図３】本発明の第１実施形態に係る携帯機器を用いた文字入力方法の一例を示した図である。
【図４】本発明の第１実施形態に係る携帯機器を用いた文字入力方法の他の例を示した図である。
【図５】本発明の第２実施形態に係る携帯機器の構成を示したブロック図である。
【図６】本発明の第２実施形態に係る携帯機器の文字イメージおよび文字データが表示された一例を示した図である。
【図７】本発明の第１実施形態に係る携帯機器の文字入力方法の流れを示したフローチャートである。
【図８】本発明の第２実施形態に係る携帯機器の文字入力方法の流れを示したフローチャートである。
【図１】
2008515044.tif 000003
【図７】
2008515044.tif 000004
【図８】
2008515044.tif 000005
【図２】
2008515044.tif 000006
【図３】
2008515044.tif 000007
【図４】
2008515044.tif 000008
【図５】
2008515044.tif 000009
【図６】
2008515044.tif 000010
【国際調査報告】
2008515044.tif 000011
2008515044.tif 000012